(57)【要約】【課題】通常の常開接点を備える場合とアーリーメイクされた常開接点を備える場合とに併用でき、且つ、摩耗粉の発生を抑制することが可能なスイッチ装置を提供する。【解決手段】スイッチ装置において、復帰バネは、操作子に作用するバネであって、当該操作子を介して、可動接点を常開位置へ向けて付勢する。そして、当該復帰バネが設置される設置部は、通常の常開接点として可動接点を機能させる場合に復帰バネが設置される第１設置部と、アーリーメイクされた常開接点として可動接点を機能させる場合に復帰バネが設置される第２設置部と、を含む。また、可動接点の開閉方向から見たときに、第１設置部は、復帰バネの付勢力に抗して可動接点を閉塞位置へ移動させるための力が付与される操作子上の操作位置と同じ位置に設けられており、第２設置部は、操作位置からずれた位置に設けられている。【選択図】図２
2020177843.tif 000002
【特許請求の範囲】
【請求項１】
固定接点と、
前記固定接点から離間した常開位置と、前記固定接点に接触する閉塞位置と、の間を移動する可動接点と、
前記可動接点を移動させるための操作子と、
前記操作子に作用するバネであって、当該操作子を介して、前記可動接点を前記常開位置へ向けて付勢する復帰バネと、
前記復帰バネが設置される設置部と、
を備え、
前記設置部は、通常の常開接点として前記可動接点を機能させる場合に前記復帰バネが設置される第１設置部と、アーリーメイクされた常開接点として前記可動接点を機能させる場合に前記復帰バネが設置される第２設置部と、を含み、
前記可動接点の開閉方向から見たときに、前記第１設置部は、前記復帰バネの付勢力に抗して前記可動接点を前記閉塞位置へ移動させるための力が付与される前記操作子上の操作位置と同じ位置に設けられており、前記第２設置部は、前記操作位置からずれた位置に設けられている、スイッチ装置。
【請求項２】
前記第１設置部は、前記第２設置部に設置される前記復帰バネよりも径の大きい復帰バネの設置が可能となるように構成されている、請求項１に記載のスイッチ装置。
【請求項３】
前記操作子が進退可能に設置された装置ケースを更に備え、
前記第１設置部及び前記第２設置部は、それらに設置される前記復帰バネの一端を前記装置ケース側で受ける受け部であり、当該受け部どうしが一体で形成されている、請求項１又は２に記載のスイッチ装置。
【発明の詳細な説明】
【技術分野】
【０００１】
本発明は、常開接点を備えたスイッチ装置に関する。
【背景技術】
【０００２】
常開接点は、操作子が可動範囲の一端位置から他端位置まで移動する過程において、当該可動範囲の途中の位置（所定位置）まで操作子が移動したときに閉塞し、その所定位置と上記他端位置との間に操作子がある場合には閉塞状態を維持する接点である。そして、常開接点には、上記所定位置が他端位置に近い位置に設定されたもの（以下、「通常の常開接点」と称す。例えば、特許文献１参照）と、通常の常開接点よりも上記所定位置が一端位置に近い位置に設定されたもの（以下、「アーリーメイクされた常開接点」と称す）と、が存在する。
【先行技術文献】
【特許文献】
【０００３】
【特許文献１】特開２００７−２２７３０８号公報
【特許文献２】特開２００８−７７９７６号公報
【特許文献３】特開２００８−１３０４１１号公報
【発明の概要】
【発明が解決しようとする課題】
【０００４】
従来、スイッチ装置は、通常の常開接点を備える場合と、アーリーメイクされた常開接点を備える場合とについて、それぞれ個別に設計されていた。このため、これら２種類のスイッチ装置を製造しようとした場合、部品点数が多くなるという問題があった。
【０００５】
このような問題を解決するために、上記２種類のスイッチ装置の間で部品を共通化することが考えられる。しかし、部品の共通化を考える上で、操作子を元の位置（上記一端位置）に復帰させるための復帰バネをどの位置に配置するかという点が重要になる。なぜなら、復帰バネの配置に関して、以下のような問題点を挙げることができるからである。
【０００６】
常開接点をアーリーメイクする場合において操作子の移動経路上に復帰バネを設けてしまうと、操作子の可動範囲が制限されてしまい、制限された可動範囲内で常開接点をアーリーメイクすることが必要になるため、設計自由度を大幅に低下させてしまうおそれがある。
【０００７】
一方、操作子の移動経路からずれた位置に復帰バネを配置した場合には、操作子を移動させる過程で生じる復帰バネの付勢力を、操作子の移動経路からずれた位置にて当該操作子に作用させなければならなくなる。このため、操作子は、復帰バネの付勢力が付与された場合に傾きやすくなる。操作子が傾いた場合には、操作子は、その操作子をガイドするガイド部を擦ってしまうため、操作子又はガイド部が削れてしまうおそれがある。また、このような削れによって発生した摩耗粉（樹脂カスなど）は、固定接点や可動接点に付着して、これらの間に接触不良を生じるおそれがある。
【０００８】
尚、部品を共通化する技術として、例えば特許文献２には、常開接点と常閉接点との間で部品を共通化する技術が開示されている。また、摩耗粉による接点不良の発生を防止する技術として、例えば特許文献３には、操作子が摺動する箇所と、可動接点が固定接点に接触する箇所と、を障壁で互いに隔離する技術が開示されている。
【０００９】
そこで本発明の目的は、通常の常開接点を備える場合とアーリーメイクされた常開接点を備える場合とに併用でき、且つ、摩耗粉の発生を抑制することが可能なスイッチ装置を提供することである。
【課題を解決するための手段】
【００１０】
本発明に係るスイッチ装置は、固定接点と、可動接点と、当該可動接点を移動させるための操作子と、復帰バネと、当該復帰バネが設置される設置部と、を備える。可動接点は、固定接点から離間した常開位置と、固定接点に接触する閉塞位置と、の間を移動する。復帰バネは、操作子に作用するバネであって、当該操作子を介して、可動接点を常開位置へ向けて付勢する。設置部は、通常の常開接点として可動接点を機能させる場合に復帰バネが設置される第１設置部と、アーリーメイクされた常開接点として可動接点を機能させる場合に復帰バネが設置される第２設置部と、を含む。そして、可動接点の開閉方向から見たときに、第１設置部は、復帰バネの付勢力に抗して可動接点を閉塞位置へ移動させるための力が付与される操作子上の操作位置と同じ位置に設けられており、第２設置部は、操作位置からずれた位置に設けられている。
【００１１】
上記構成によれば、復帰バネが設置される設置部として第１設置部及び第２設置部が何れも１つのスイッチ装置に設けられることにより、当該１つのスイッチ装置を、通常の常開接点を備える場合（第１態様）とアーリーメイクされた常開接点を備える場合（第２態様）の何れにも容易に変化させることが可能になる。
【００１２】
また、第１設置部に復帰バネが設置された場合（上記第１態様の場合）には、復帰バネが、開閉方向から見たときに操作位置と同じ位置に配置される。このため、可動接点を閉塞位置へ移動させるための力が操作子に付与された場合でも、操作子には傾きが生じにくくなる。ここで、操作子に傾きが生じた場合には、操作子は、装置ケース（具体的には、装置ケースのうちの操作子をガイドする部分）などを擦り、それが原因で操作子や装置ケースなどが削れてしまうおそれがある。また、このような削れによって発生した摩耗粉（樹脂カスなど）は、固定接点や可動接点に付着して、これらの間に接触不良を生じるおそれがある。一方、上記構成によれば、そのような操作子の傾きが生じにくくなるため、操作子や装置ケースなどでの削れが生じにくくなる。
【００１３】
上記スイッチ装置において、第１設置部は、第２設置部に設置される復帰バネよりも径の大きい復帰バネの設置が可能となるように構成されていてもよい。この構成によれば、第１設置部に復帰バネが設置された場合（上記第１態様の場合）において、径の大きい復帰バネによって操作子を広い範囲で受けることができる。よって、操作子の動作が安定し、操作子と装置ケースなどとの間の擦れがより低減される。
【００１４】
上記スイッチ装置は、操作子が進退可能に設置された装置ケースを更に備えていてもよい。この構成において、第１設置部及び第２設置部は、それらに設置される復帰バネの一端を装置ケース側で受ける受け部であってもよい。また、当該受け部どうしが一体で形成されていてもよい。この構成によれば、第１設置部（受け部）となる部品や第２設置部（受け部）となる部品を個別に準備する必要がなくなる。よって、スイッチ装置を構成するための部品点数が減少し、その結果としてスイッチ装置の小型化が実現される。
【発明の効果】
【００１５】
本発明によれば、１つのスイッチ装置を、通常の常開接点を備える場合とアーリーメイクされた常開接点を備える場合とに併用でき、且つ、当該スイッチ装置での摩耗粉の発生を抑制できる。
【図面の簡単な説明】
【００１６】
【図１】実施形態に係るスイッチ装置を概念的に示した平面図である。
【図２】通常の常開接点として可動接点を機能させた場合のスイッチ装置について、（Ａ）図１のＡ−Ａ線で得られる断面図、及び（Ｂ）図１のＢ−Ｂ線で得られる断面図であり、可動接点が常開位置にある状態を示す。
【図３】アーリーメイクされた常開接点として可動接点を機能させた場合のスイッチ装置について、（Ａ）図１のＡ−Ａ線で得られる断面図、及び（Ｂ）図１のＢ−Ｂ線で得られる断面図であり、可動接点が常開位置にある状態を示す。
【図４】通常の常開接点として可動接点を機能させた場合のスイッチ装置について、可動接点が閉塞位置にある状態として、（Ａ）操作子が可動範囲内の所定位置にある状態、及び（Ｂ）操作子が可動範囲の他端位置にある場合をそれぞれ示した断面図である。
【図５】アーリーメイクされた常開接点として可動接点を機能させた場合のスイッチ装置について、可動接点が閉塞位置にある状態として、（Ａ）操作子が可動範囲内の所定位置にある状態、及び（Ｂ）操作子が可動範囲の他端位置にある場合をそれぞれ示した断面図である。
【発明を実施するための形態】
【００１７】
図１は、実施形態に係るスイッチ装置を概念的に示した平面図である。また、図２（Ａ）及び図３（Ａ）は、図１のＡ−Ａ線で得られる断面図であり、図２（Ｂ）及び図３（Ｂ）は、図１のＢ−Ｂ線で得られる断面図である。これらの図に示されるように、スイッチ装置は、装置ケース１と、固定接点２と、可動接点３と、操作子４と、押圧バネ５と、復帰バネ６と、設置部７と、を備える。
【００１８】
本実施形態では、スイッチ装置は、可動接点３が常開接点となるように構成されている。即ち、スイッチ装置は、外部からの力が操作子４に付与されていない場合に常に開放状態となるように構成されている。具体的には、操作子４は、装置ケース１に進退可能に設置されており、当該操作子４に外部から付与される力（具体的には、スイッチ装置の閉塞時に外部から付与される力）を自身の動作（移動）によって可動接点３に伝える部分である。そして、可動接点３は、操作子４の動作に応じて次のような動作を行うように構成されている。即ち、可動接点３は、操作子４が可動範囲の一端位置Ｐｓ１（図２（Ａ）及び図３（Ａ）参照）から他端位置Ｐｓ２（図４（Ｂ）及び図５（Ｂ）参照）まで移動する過程において、当該可動範囲の途中の位置（所定位置Ｐｓ３。図４（Ａ）及び図５（Ａ）参照）まで操作子４が移動したときに固定接点２に接触して閉塞し、その所定位置Ｐｓ３と他端位置Ｐｓ２との間に操作子４がある場合には閉塞状態を維持する。
【００１９】
このような常開接点には、通常の常開接点とアーリーメイクされた常開接点とがあり、スイッチ装置は、通常の常開接点として可動接点３を機能させる場合（図２（Ａ）及び（Ｂ）に示された態様。以下、「第１態様」と称す）と、アーリーメイクされた常開接点として可動接点３を機能させる場合（図３（Ａ）及び（Ｂ）に示された態様。以下、「第２態様」と称す）と、に併用できるように構成されている。ここで、通常の常開接点は、所定位置Ｐｓ３が他端位置Ｐｓ２に近い位置に設定されたものである。一方、アーリーメイクされた常開接点は、通常の常開接点よりも所定位置Ｐｓ３が一端位置Ｐｓ１に近い位置に設定されたものである。
【００２０】
尚、本実施形態では、操作子４の移動方向に延びたガイド溝１０２（図２（Ｂ）及び図３（Ｂ）参照）が、装置ケース１の内面に、当該装置ケース１とは別の部材１０１を用いて形成されている。また、ガイド溝１０２に摺動可能に嵌まる爪部１０３が、操作子４の側面に形成されている。そして、ガイド溝１０２に爪部１０３が係合することにより、操作子４の可動範囲がガイド溝１０２によって規定される。即ち、可動範囲の一端位置Ｐｓ１及び他端位置Ｐｓ２が、上記移動方向におけるガイド溝１０２の両端位置によってそれぞれ規定される。
【００２１】
以下、各部の構成について具体的に説明する。
【００２２】
＜装置ケース＞
装置ケース１の内部には、通常の常開接点として可動接点３を機能させるためのスイッチング機構（第１態様のスイッチ装置を実現するための機構）と、アーリーメイクされた常開接点として可動接点３を機能させるためのスイッチング機構（第２態様のスイッチ装置を実現するための機構）と、が選択的に構築される。そして、本実施形態では、少なくとも装置ケース１が、これらのスイッチング機構（即ち、第１態様及び第２態様のスイッチ装置）において共通化されている。具体的には、第１態様で用いられる第１設置部７１（図２（Ｂ）参照）と、第２態様で用いられる第２設置部７２（図３（Ｂ）参照）と、が何れも装置ケース１に設けられている。尚、第１設置部７１及び第２設置部７２の詳細については後述する。
【００２３】
＜固定接点＞
固定接点２は、装置ケース１内に固定される接点である。本実施形態では、固定接点２は、２つの固定接点２１及び２２から構成されており、これらが装置ケース１内（図２（Ａ）参照）において左右に１つずつ固定されている。より具体的には、以下のとおりである。
【００２４】
本実施形態のスイッチ装置は、２本の電気配線Ｗ１及びＷ２の間の接続及び遮断を選択的に行うために、これらの電気配線Ｗ１及びＷ２の間に設けられる。そして、電気配線Ｗ１及びＷ２とスイッチ装置との接続が可能となるように、装置ケース１内には、電気配線Ｗ１及びＷ２が個々に接続される接続端子８１及び８２が左右に１つずつ設置（固定）されている。このような構成において、固定接点２１及び２２は、それぞれ導電部材２０ａ及び２０ａを介して接続端子８１及び８２に接続固定されている。尚、接続端子８１及び８２は、電気配線を差し込むだけで当該電気配線との強固な接続状態を形成するプッシュイン型のものであってもよいし、ネジ留めで電気配線との強固な接続状態を形成するネジ留め型のものなどであってもよい。
【００２５】
＜可動接点＞
可動接点３は、固定接点２から離間した常開位置Ｐａ（第１態様：図２（Ａ）参照、第２態様：図３（Ａ）参照）と、固定接点２に接触する閉塞位置Ｐｂ（第１態様：図４（Ａ）及び（Ｂ）参照、第２態様：図５（Ａ）及び（Ｂ）参照）と、の間を操作子４の動作に応じて移動する。本実施形態では、可動接点３は、２つの可動接点３１及び３２から構成されており、当該可動接点３１及び３２は、開閉方向において上記２つの固定接点２１及び２２と対向する位置（図面では上方位置）にそれぞれ配置されている。また、可動接点３１及び３２は、それらを互いに導通させる導電部材３０に固定されている。そして、操作子４に導電部材３０が設置されることにより、可動接点３１及び３２は、互いの位置関係を保持した状態で常開位置Ｐａと閉塞位置Ｐｂとの間を操作子４の動作に応じて移動することが可能になっている。尚、操作子４への導電部材３０の設置態様については、以下の操作子４に関する説明箇所で述べる。
【００２６】
＜操作子及び押圧バネ＞
操作子４は、本実施形態において、導電部材３０と共にプランジャ機構を構成している。具体的には、操作子４は、ガイド開口部４１を有する（図２（Ａ）及び図３（Ａ）参照）。ここで、ガイド開口部４１は、導電部材３０が挿入される部分であり、挿入された導電部材３０の移動（開閉方向への移動）を可能にすると共にその移動をガイドする。また、操作子４には、ガイド開口部４１への導電部材３０の挿入方向に対して垂直な方向（具体的には、操作子４の移動方向。即ち、開閉方向）に拡がった空洞部４２が、ガイド開口部４１と交差するように形成されている。
【００２７】
そして、空洞部４２には、押圧バネ５が、ガイド開口部４１に挿入された導電部材３０を常に固定接点２の方（図面では下方）へ向けて付勢できるように設置されている。より具体的には、押圧バネ５は、導電部材３０に当接すると共に、当該導電部材３０に常に付勢力が及ぶように弾性変形した状態で設置されている。本実施形態では、押圧バネ５は圧縮バネであり、導電部材３０に対して固定接点２とは反対側に設置されている。尚、押圧バネ５は、引張バネであってもよく、その場合は導電部材３０に対して固定接点２と同じ側に設置される。
【００２８】
また本実施形態では、第２態様のスイッチ装置において、操作子４が押し込まれたときの閉塞のタイミング（即ち、可動接点３が固定接点２に接触するタイミング）が第１態様のスイッチ装置よりも早くなるように、可動接点３の常開位置Ｐａが、第１態様のスイッチ装置よりも固定接点２に近い位置に設定されている（図２（Ａ）及び図３（Ａ）参照）。具体的には、押圧バネ５として、第１態様で用いられるものよりも長い圧縮バネが第２態様で用いられる。
【００２９】
このようなプランジャ機構によれば、閉塞時における操作子４の動作に従って可動接点３（ここでは、可動接点３１及び３２）が移動し、その後、可動接点３が固定接点２（ここでは、固定接点２１及び２２）に接触したときに、操作子４が更に押し込まれようとするのに対して可動接点３が固定接点２で堰き止められる。従って、可動接点３が固定接点２に接触した時点からの操作子４の更なる移動分だけ、導電部材３０がガイド開口部４１内をスライドし、これによって押圧バネ５が弾性変形する。そして、そのときの押圧バネ５の弾性力が、導電部材３０を通じて可動接点３に、当該可動接点３を固定接点２に押圧する力として付与される。よって、固定接点２と可動接点３との間には、閉塞時において良好な接続状態が形成されやすい。
【００３０】
＜復帰バネ及び設置部＞
復帰バネ６は、設置部７に設置されるバネであり、操作子４に作用することにより、当該操作子４を介して、可動接点３を常開位置Ｐａへ向けて付勢する。そして本実施形態では、復帰バネ６は圧縮バネである。また、上述した第１態様及び第２態様のスイッチ装置への併用が可能となるように、設置部７には、第１態様を実現するための第１設置部７１と、第２態様を実現するための第２設置部７２と、が含まれている。ここで、第１設置部７１は、通常の常開接点として可動接点３を機能させる場合に復帰バネ６が設置される部分である。一方、第２設置部７２は、アーリーメイクされた常開接点として可動接点３を機能させる場合に復帰バネ６が設置される部分である。そして、スイッチ装置に実現させる態様（第１態様又は第２態様）に応じて、復帰バネ６が、第１設置部７１又は第２設置部７２に選択的に設置される。
【００３１】
具体的には、第１設置部７１は、当該第１設置部７１に設置される復帰バネ６の一端６１ａを装置ケース１側で受ける受け部である。本実施形態では、図２（Ｂ）に示されるように、第１設置部７１（受け部）として、復帰バネ６の一端６１ａに挿入される突起部が、装置ケース１の内底面において当該装置ケース１と一体で形成されている。また、第１設置部７１に設置された復帰バネ６を操作子４に作用させるべく、装置ケース１内には、復帰バネ６の他端６１ｂを操作子４側で受ける受け部７３１が設けられている。本実施形態では、そのような受け部７３１として、復帰バネ６の他端６１ｂに嵌合する凹部が、操作子４の下面に形成されている。
【００３２】
また、第２設置部７２は、当該第２設置部７２に設置される復帰バネ６の一端６１ａを装置ケース１側で受ける受け部である。本実施形態では、図３（Ｂ）に示されるように、第２設置部７２（受け部）として、復帰バネ６の一端６１ａに挿入される突起部が、装置ケース１の内底面のうちの第１設置部７１からずれた位置において、当該装置ケース１と一体で形成されている。また、第２設置部７２に設置された復帰バネ６を操作子４に作用させるべく、装置ケース１内には、復帰バネ６の他端６１ｂを操作子４側で受ける受け部７３２が設けられている。本実施形態では、そのような受け部７３２として、復帰バネ６の他端６１ｂに挿入される突起部が、操作子４のうちの開閉方向において第２設置部７２と対向する位置に形成されている。尚、操作子４は、第１態様と第２態様とで共通化されていてもよいし、それぞれの態様で個別に用意されるものであってもよい。
【００３３】
このように、第１態様で用いられる第１設置部７１（図２（Ｂ）参照）と、第２態様で用いられる第２設置部７２（図３（Ｂ）参照）と、が何れも装置ケース１に設けられることにより、第１態様及び第２態様のスイッチ装置において、少なくとも装置ケース１が共通化される。このため、１つスイッチ装置に対して部分的且つ簡易な変更を加えるだけで、当該１つのスイッチ装置を、通常の常開接点を備える場合（第１態様）とアーリーメイクされた常開接点を備える場合（第２態様）の何れにも容易に変化させることができる。即ち、１つのスイッチ装置を、第１態様と第２態様とに併用できる。
【００３４】
また、第１設置部７１及び第２設置部７２が何れも装置ケース１と一体で形成されることにより、第１設置部７１となる部品や第２設置部７２となる部品を個別に準備する必要がなくなる。よって、スイッチ装置を構成するための部品点数が減少し、その結果としてスイッチ装置の小型化が実現される。
【００３５】
本実施形態では更に、第１設置部７１及び第２設置部７２は、以下の構成を備えている。
【００３６】
第１設置部７１は、開閉方向から見たときに、スイッチ装置の閉塞時に外部から力（即ち、復帰バネ６の付勢力に抗して可動接点３を閉塞位置Ｐｂへ移動させるための力）が付与される操作子４上の操作位置Ｐｃ（本実施形態では、操作子４の上部先端の位置）と同じ位置に設けられている。一方、第２設置部７２は、上記操作位置Ｐｃからずれた位置に設けられている。このような配置によれば、本実施形態では、第１設置部７１に設置された復帰バネ６は、押圧バネ５に対して直列の位置関係で配置され、第２設置部７２に設置された復帰バネ６は、押圧バネ５に対して並列の位置関係で配置される。
【００３７】
このような位置関係によれば、第１設置部７１に復帰バネ６が設置された場合（第１態様の場合）には、復帰バネ６が、開閉方向から見たときに操作位置Ｐｃと同じ位置に配置される。このため、可動接点３を閉塞位置Ｐｂへ移動させるための力が操作子４に付与された場合でも、操作子４には傾きが生じにくくなる。ここで、操作子４に傾きが生じた場合には、操作子４は、装置ケース１（具体的には、装置ケース１のうちの操作子４をガイドする部分）を擦り、それが原因で操作子４又は装置ケース１が削れてしまうおそれがある。また、このような削れによって発生した摩耗粉（樹脂カスなど）は、固定接点２や可動接点３に付着して、これらの間に接触不良を生じるおそれがある。一方、本実施形態の構成によれば、そのような操作子４の傾きが生じにくくなるため、操作子４や装置ケース１などでの削れが生じにくくなり、従って、摩耗粉の発生が抑制されて接続不良が生じにくくなる。
【００３８】
また、第１設置部７１は、第２設置部７２に設置される復帰バネ６よりも径の大きい復帰バネ６の設置が可能となるように構成されている。この構成によれば、第１設置部７１に復帰バネ６が設置された場合（第１態様の場合）において、径の大きい復帰バネ６によって操作子４を広い範囲で受けることができる。よって、操作子４の動作が安定し、操作子４と装置ケース１との間の擦れがより低減される。
【００３９】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【００４０】
例えば、上述したスイッチ装置において、第１設置部７１（受け部）及び第２設置部７２（受け部）は、装置ケース１に一体で形成される場合に限らず、それぞれが装置ケース１とは別の部品によって構成されていてもよいし、第１設置部７１及び第２設置部７２だけが、装置ケース１とは別の１つの部品によって一体で形成されていてもよい。また、上述したスイッチ装置において、第１設置部７１は、第２設置部７２に設置される復帰バネ６と同じ径の復帰バネ６が設置されるものであってもよいし、第２設置部７２に設置される復帰バネ６より径の小さい復帰バネ６が設置されるものであってもよい。更に、上述したスイッチ装置において、復帰バネ６は、圧縮バネに限らず、引張バネや板バネなどであってもよい。更に、第１設置部７１及び第２設置部７２は、上述した構成に限らず、復帰バネ６の設置が可能な他の構成に変形されてもよい。そして、これらの構成も、本発明には含まれる。
【符号の説明】
【００４１】
１  装置ケース
２  固定接点
３  可動接点
４  操作子
５  押圧バネ
６  復帰バネ
７  設置部
２０ａ、２０ｂ  導電部材
２１、２２  固定接点
３０  導電部材
３１、３２  可動接点
４１  ガイド開口部
４２  空洞部
６１ａ  一端
６１ｂ  他端
７１  第１設置部
７２  第２設置部
８１、８２  接続端子
Ｐａ  常開位置
Ｐｂ  閉塞位置
Ｐｃ  操作位置
Ｗ１、Ｗ２  電気配線
１０１  別の部材
１０２  ガイド溝
１０３  爪部
７３１、７３２  受け部
Ｐｓ１  一端位置
Ｐｓ２  他端位置
Ｐｓ３  所定位置
【図１】
2020177843.tif 000003
【図２】
2020177843.tif 000004
【図３】
2020177843.tif 000005
【図４】
2020177843.tif 000006
【図５】
2020177843.tif 000007